(57)【要約】      （修正有）【課題】組立てが簡便で、体積が小さいコンセントコネクターの組合せ構造を提供する。【解決手段】コンセントコネクターの組合せ構造１００は、回路板１、殻体２を備える。回路板１の辺縁位置は内側に向かい、２個の係合支持槽１１を開設し、回路板１は、２個の係合支持槽１１の間に、コンセントヘラ状板１２を形成し、コンセントヘラ状板１２位置には、複数のゴールデンフィンガー１３を設置する。殻体２は、回路板１上に固定し、コンセントヘラ状板１２外に嵌めて設置し、殻体２とコンセントヘラ状板１２との間には挿入空間を形成する。【選択図】図２
0003155301.tif 000002
【実用新案登録請求の範囲】
【請求項１】
回路板、殻体を備え、
前記回路板の辺縁位置は内側に向かい、２個の係合支持槽を開設し、前記回路板は、前記２個の係合支持槽の間に、コンセントヘラ状板を形成し、前記コンセントヘラ状板位置には、複数のゴールデンフィンガーを設置し、
前記殻体は、前記回路板上に固定し、前記コンセントヘラ状板外に嵌めて設置し、前記殻体と前記コンセントヘラ状板とは、取り囲んで、挿入空間を形成することを特徴とするコンセントコネクターの組合せ構造。
【請求項２】
前記殻体は、２個の側壁を備え、前記側壁の前端は、外へと向かい垂直に屈折して延伸し、固定支持部を形成し、
前記回路板の前端には、欠槽を開設し、前記欠槽と前記係合支持槽とは相互に通じ、
前記殻体の固定支持部の底部は、前記欠槽の両端位置に接触することを特徴とする請求項１に記載のコンセントコネクターの組合せ構造。
【請求項３】
前記回路板上は、前記コンセントヘラ状板の後部において、少なくとも１個の第一係合槽を開設し、
前記回路板前部は、前記欠槽外側において、少なくとも１個の第二係合槽を開設し、
前記殻体は、底壁を備え、前記底壁後端は、垂直に上方へと向かい屈折して延伸し、少なくとも１個の第一嵌合部を形成し、
前記固定支持部末端の下部は、水平に外へと延伸後に、さらに上方へと屈折して延伸し、第二嵌合部を形成し、
前記第一嵌合部は、前記第一係合槽内に嵌合し、前記第二嵌合部は、前記第二係合槽内に嵌合することを特徴とする請求項２に記載のコンセントコネクターの組合せ構造。
【請求項４】
前記殻体は頂点壁を備え、前記殻体の頂点壁、底壁、及び２個の側壁はすべて、対応する開槽内へと延伸して、挿入空間内に向かいやや傾斜する若干の弾力片を形成することを特徴とする請求項３に記載のコンセントコネクターの組合せ構造。
【考案の詳細な説明】
【技術分野】
【０００１】
本考案はコンセントコネクターの技術に関し、特に回路板と結合するコンセントコネクターの組合せ構造に関する。
【背景技術】
【０００２】
電気信号の伝送に用いる従来のコンセントコネクターは、通常は、絶縁本体、絶縁本体上に固定する複数の端子、外殻により組成する。
コンセントコネクターの使用時には、しばしば溶接により回路板上に固定し、回路板と一緒にコンセントコネクターの組合せ構造を形成する必要がある。
【０００３】
しかし、上記した従来のコンセントコネクターの組合せ構造は、組立てが複雑であるばかりか、複数の端子を設置し、それを覆うため、比較的大きい絶縁本体と、比較的大きい外殻が必要である。
よって、コンセントコネクターの組合せ構造全体の体積が大きくなってしまい、よりコンパクトに、より薄くという現代社会のニーズとトレンドとは乖離している。
本考案は、従来のコンセントコネクターの組合せ構造の上記した欠点に鑑みてなされたものである。
【考案の概要】
【考案が解決しようとする課題】
【０００４】
本考案が解決しようとする課題は、組立てが簡便で、体積が小さいコンセントコネクターの組合せ構造を提供することである。
【課題を解決するための手段】
【０００５】
上記課題を解決するため、本考案は下記のコンセントコネクターの組合せ構造を提供する。
コンセントコネクターの組合せ構造は、回路板、殻体を備え、
該回路板の辺縁位置は内側に向かい、２個の係合支持槽を開設し、該回路板は、該２個の係合支持槽の間に、コンセントヘラ状板を形成し、該コンセントヘラ状板位置には、複数のゴールデンフィンガーを設置し、
該殻体は、該回路板上に固定し、該コンセントヘラ状板外に嵌めて設置し、該殻体と該コンセントヘラ状板との間には挿入空間を形成する。
【考案の効果】
【０００６】
本考案コンセントコネクターの組合せ構造は、回路板上に設置するコンセントヘラ状板構造により、従来の技術中の体積が比較的大きい絶縁本体に置換し、回路板のゴールデンフィンガー構造は、従来の技術中の端子に置換する。こうして、体積を縮小しコンパクトにすることができるばかりか、組立て時には、端子と回路板との溶接工程を省くことができる。
【図面の簡単な説明】
【０００７】
【図１】本考案一実施例のコンセントコネクターの組合せ構造の立体図である。
【図２】本考案一実施例のコンセントコネクターの組合せ構造の立体分解図である。
【図３】本考案一実施例のコンセントコネクターの組合せ構造とプラグコネクターを嵌めて接続する様子の立体図である。
【考案を実施するための形態】
【０００８】
以下に図面を参照しながら本考案を実施するための最良の形態について詳細に説明する。
【０００９】
図１に示すように、本考案コンセントコネクターの組合せ構造１００は、回路板１と殻体２を備える。
【００１０】
図２に示すように、回路板１の辺縁位置は内側に向かい、２個の係合支持槽１１を開設する。
これにより、回路板１上は、２個の係合支持槽１１の間に、コンセントヘラ状板１２を形成する。
コンセントヘラ状板１２位置には、複数のゴールデンフィンガー(golden finger)１３を設置する。
回路板１の前端には、欠槽１４を開設する。
欠槽１４と２個の係合支持槽１１とは相互に通じ、回路板１上は、コンセントヘラ状板１２の後部において、一対の第一係合槽１５を開設する。
回路板１前部は、欠槽１４外側において、一対の第二係合槽１６を開設する。
【００１１】
図１、２に示すように、殻体２は、回路板１上に固定し、コンセントヘラ状板１２外に嵌めて設置する。
殻体２とコンセントヘラ状板１２とは、取り囲んで、挿入空間(図示なし)を形成する。
殻体２は、底壁２１、及び底壁２１両側縁から、上向きに垂直に屈折し延伸する２個の側壁２２、２個の側壁２２に連接する頂点壁２３を備える。
底壁２１上には、第一開槽２１１を設置する。
底壁２１は、第一開槽２１１後側縁において、第一開槽２１１内へと延伸して、挿入空間内に向かいやや傾斜する第一弾力片２１２を形成する。
底壁２１後端は、垂直に上方へと向かい屈折して延伸し、一対の第一嵌合部２１３を形成する。
側壁２２の前端は、外へと向かい垂直に屈折して延伸し、固定支持部２２１を形成する。
固定支持部２２１末端の下部は、水平に外へと延伸後に、さらに上方へと屈折して延伸し、第二嵌合部２２２を形成する。
側壁２２上には、第二開槽２２３を開設する。
側壁２２は、第二開槽２２３の前側槽縁において、第二開槽２２３内へと延伸し、挿入空間内に向かいやや傾斜する第二弾力片２２４を形成する。
頂点壁２３上には、２個の第三開槽２３１を開設する。
頂点壁２３は、各第三開槽２３１の前側槽縁において、第二開槽２３１内へと延伸し、挿入空間内に向かいやや傾斜する第三弾力片２３２を形成する。
【００１２】
組立て時には、殻体２を、回路板１上において後方へと組立て、側壁２２は、回路板１の係合支持槽１１内に挿入して設置する。
固定支持部２２１の底部は、欠槽１４の両端位置に接触し、これにより殻体２を、コンセントヘラ状板１２外に嵌めて設置する。
次に、第一嵌合部２１３を回路板１の第一係合槽１５内に嵌合し、第二係合部２２２は、回路板１の第二係合槽１６内に嵌合する。
こうして、簡便な組立てを実現する。
【００１３】
図３に示すように、プラグコネクター３は、外殻３１を備える。
外殻３１内には、１組のプラグ端子(図示なし)を設置する。
外殻３１外には、固定部品３２を嵌めて固定する。
固定部品３２前端は、屈折して延伸し、一対の係合フック３２１を形成する。
プラグコネクター３とコンセントコネクターの組合せ構造１００とを嵌めて接続すると、プラグコネクター３の前端は、これと対応するコンセントコネクターの組合せ構造１００の殻体２と、コンセントヘラ状板１２とが取り囲んで形成する挿入空間内に、挿入され、プラグ端子とゴールデンフィンガー１３とは対応して接続される。
コンセントコネクターの組合せ構造１００上の第三弾力片２３２、第一弾力片２１２、及び２個の第二弾力片２２４は、プラグコネクター３の外殻３１上に、上下左右の４方向から、弾力接触する。
こうして、プラグ端子とゴールデンフィンガー１３とはスムーズに接続し、しかも係合フック３２１は、コンセントコネクターの組合せ構造１００の固定支持部２２１を引っ掛けて押さえる。
これにより、プラグコネクター３とコンセントコネクターの組合せ構造１００とは安定的に接続される。
【００１４】
上記したように、本考案コンセントコネクターの組合せ構造１００は、回路板１上に設置するコンセントヘラ状板１２構造により、従来の技術中の体積が比較的大きい絶縁本体に置換し、回路板１のゴールデンフィンガー１３構造は、従来の技術中の端子に置換する。
こうして、体積を縮小しコンパクトにすることができるばかりか、組立て時には、端子と回路板との溶接工程を省くことができる。
【産業上の利用可能性】
【００１５】
本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１００  コンセントコネクターの組合せ構造
１  回路板
１１  係合支持槽
１２  コンセントヘラ状板
１３  ゴールデンフィンガー
１４  欠槽
１５  第一係合槽
１６  第二係合槽
２  殻体
２１  底壁
２１１  第一開槽
２１２  第一弾力片
２１３  第一嵌合部
２２  側壁
２２１  固定支持部
２２２  第二嵌合部
２２３  第二開槽
２２４  第二弾力片
２３  頂点壁
２３１  第三開槽
２３２  第三弾力片
３  プラグコネクター
３１  外殻
３２  固定部品
３２１  係合フック
【図１】
0003155301.tif 000003
【図２】
0003155301.tif 000004
【図３】
0003155301.tif 000005